(57)【要約】【課題】部品点数が少なく、収容性に優れたデッキボード用ストラップを提供する。【解決手段】このストラップ２０は、ストラップロープ２１と、ストラップロープ２１の基端部２２を自身に固定するとともに自身がデッキボード１０のボード本体１２に固定されるブラケット３０と、を備え、ストラップロープ２１は、ブラケット３０に固定される基端部２２と、開放姿勢Ｈを保持する際の掛け止め部となる環状部２４と、環状部２４と基端部２２との間を繋ぐ延設部２３と、を有し、ブラケット３０は、ストラップロープ２１の基端部２２を自身に固定する固定部３３と、ストラップロープ２１の延設部２３を巻回してその状態を保持するための掛止部３４と、ストラップロープ２１の環状部２４を挟み込み可能な挟持部３８，３９と、ボード本体１２裏面の装着位置に自身を固定するための装着部３２と、を有する。【選択図】図４
2020142653.tif 000002
【特許請求の範囲】
【請求項１】
収納室の上部開口を開閉可能に覆うデッキボードに用いられ、前記収納室の上部開口を開閉可能に覆う板状のボード本体の裏面端部に配設されて、該ボード本体の開放姿勢を保持するためのデッキボード用ストラップであって、
ストラップロープと、該ストラップロープの基端部を自身に固定するとともに自身が前記ボード本体に固定されるブラケットと、を備え、
前記ストラップロープは、前記ブラケットに固定される基端部と、前記開放姿勢を保持する際の掛け止め部となる環状部と、該環状部と前記基端部との間を繋ぐ長尺紐状で可撓性を有する延設部と、が一のロープ部材から構成されてなり、
前記ブラケットは、前記ストラップロープの基端部を自身に固定する固定部と、前記ストラップロープの延設部を巻回してその状態を保持するための掛止部と、前記ストラップロープの環状部を挟み込み可能な挟持部と、前記ボード本体裏面の装着位置に自身を固定するための装着部と、を有することを特徴とするデッキボード用ストラップ。
【請求項２】
前記挟持部は、前記延設部を前記掛止部に巻回したとき、当該挟持部に前記環状部を挟み込み可能な位置に設けられて、前記ストラップロープを前記ブラケットに収納可能に構成されている請求項１に記載のデッキボード用ストラップ。
【請求項３】
前記掛止部は、前記ブラケットの両側に設けられるとともに、各掛止部に、前記延設部の巻回状態を保持するように、前記ボード本体裏面との対面方向での移動を拘束する折返部が形成されている請求項１または２に記載のデッキボード用ストラップ。
【請求項４】
前記掛止部は、前記ブラケットの片側に設けられるとともに、該掛止部に、前記延設部の巻回状態を保持するように、前記ボード本体裏面との対面方向での移動を拘束する折返部が形成されている請求項１または２に記載のデッキボード用ストラップ。
【請求項５】
前記ストラップロープの基端部は、前記ブラケットの固定部にインサート成形されている請求項１〜４のいずれか一項に記載のデッキボード用ストラップ。
【請求項６】
前記ストラップロープは、前記一のロープ部材を二等分にしてヘアピン状に折り返すことにより前記延設部が二筋のロープによって構成され、該折り返された部分が、前記環状部とされ、該折り返された二筋のロープ両端の部分それぞれが、前記基端部とされている請求項１〜５のいずれか一項に記載のデッキボード用ストラップ。
【請求項７】
前記ストラップロープは、前記延設部が一筋のロープによって構成され、前記延設部の一端側が、該一端側の端部近傍を、環状をなすように折り返して前記環状部が形成され、前記延設部の他端が、前記基端部とされている請求項１〜５のいずれか一項に記載のデッキボード用ストラップ。
【請求項８】
車室内に設けられた収納室の上部開口を開閉可能に覆うデッキボードにおいて、
前記収納室の上部開口を開閉可能に覆う板状のボード本体と、該ボード本体の裏面端部に配設されて該ボード本体の開放姿勢を保持するためのストラップと、を備えるデッキボードであって、
前記ストラップとして、請求項１〜７のいずれか一項に記載のデッキボード用ストラップを有することを特徴とするデッキボード。
【発明の詳細な説明】
【技術分野】
【０００１】
本発明は、車両の荷室等に設けられる収納室の上部開口を開閉可能に覆うデッキボードに用いられ、デッキボードの開放姿勢を保持するためのストラップに関する。
【背景技術】
【０００２】
この種のストラップとして、例えば特許文献１には、デッキボード本体の剛性を向上させる補強用凹部に、フックを収納可能なフック収納部を形成したデッキボードが開示されている。同文献記載の技術では、デッキボードにヒモを介して連結されたＳ字フックが、デッキボードの裏面側に設けられている。
【先行技術文献】
【特許文献】
【０００３】
【特許文献１】特開２０１２−９１６４４号公報
【発明の概要】
【発明が解決しようとする課題】
【０００４】
しかし、同文献記載のデッキボードは、車両後部に配置された状態において、ヒモが収納室に垂れ下がって収納物に引っ掛かる場合があり、デッキボードの開閉をスムーズに行えない場合があるという問題がある。
そこで、本発明は、このような問題点に着目してなされたものであって、部品点数を削減するとともに、収容性に優れたデッキボード用ストラップおよびこれを備えるデッキボードを提供することを課題とする。
【課題を解決するための手段】
【０００５】
上記課題を解決するために、本発明の一態様に係るデッキボード用ストラップは、収納室の上部開口を開閉可能に覆うデッキボードに用いられ、前記収納室の上部開口を開閉可能に覆う板状のボード本体の裏面端部に配設されて、該ボード本体の開放姿勢を保持するためのデッキボード用ストラップであって、ストラップロープと、該ストラップロープの基端部を自身に固定するとともに自身が前記ボード本体に固定されるブラケットと、を備え、前記ストラップロープは、前記ブラケットに固定される基端部と、前記開放姿勢を保持する際の掛け止め部となる環状部と、該環状部と前記基端部との間を繋ぐ長尺紐状で可撓性を有する延設部と、が一のロープ部材から構成されてなり、前記ブラケットは、前記ストラップロープの基端部を自身に固定する固定部と、前記ストラップロープの延設部を巻回してその状態を保持するための掛止部と、前記ストラップロープの環状部を挟み込み可能な挟持部と、前記ボード本体裏面の装着位置に自身を固定するための装着部と、を有することを特徴とする。
【０００６】
また、上記課題を解決するために、本発明の一態様に係るデッキボードは、車室内に設けられた収納室の上部開口を開閉可能に覆うデッキボードにおいて、前記収納室の上部開口を開閉可能に覆う板状のボード本体と、該ボード本体の裏面端部に配設されて該ボード本体の開放姿勢を保持するためのストラップと、を備えるデッキボードであって、前記ストラップとして、本発明の一態様に係るデッキボード用ストラップを有することを特徴とする。
【０００７】
本発明の一態様に係るデッキボード用ストラップによれば、ストラップロープ自身によって開放姿勢を保持する際の掛け止め部となる環状部がロープ先端に形成されているので、例えば後部座席の背面の係合部に対して、ストラップロープ先端の環状部を容易に着脱可能であり、Ｓ字フックを廃止して部品点数を削減できる。
そして、本発明の一態様に係るデッキボード用ストラップによれば、ストラップロープの延設部をブラケットの掛止部に巻回させ、挟持部により環状部を挟み込んで保持できる。これにより、本発明によれば、ストラップロープにおける延設部が垂れ下がらずにブラケットに対してその周囲に巻回保持できる。そのため、見栄えを損なうことがなく、また、ストラップが収納室からの荷物の出し入れ等の邪魔になることもない優れた収容性を奏する。
【発明の効果】
【０００８】
上述のように、本発明によれば、部品点数を削減するとともに、収容性に優れたデッキボード用ストラップおよびこれを備えるデッキボードを提供できる。
【図面の簡単な説明】
【０００９】
【図１】本発明の一態様に係るデッキボードを後部座席後方の荷室内に装備した車室の一実施形態を説明する模式的側面図である。
【図２】図１のデッキボードを裏面側上方から見た斜視図である。
【図３】図２のＡ部拡大図である。
【図４】図１のデッキボードに装備されるストラップの斜視図であり、同図（ａ）は、ストラップロープを引き出した展開状態を示し、同図（ｂ）はストラップロープをブラケットに巻回した収容状態を示している。
【図５】本発明の一態様に係るストラップの第一変形例を説明する斜視図である。
【図６】本発明の一態様に係るストラップの第二変形例を説明する斜視図である。
【発明を実施するための形態】
【００１０】
以下、本発明の一実施形態について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。
また、以下に示す実施形態は、本発明の技術的思想を具体化するための装置や方法を例示するものであって、本発明の技術的思想は、構成部品の材質、形状、構造、配置等を下記の実施形態に特定するものではない。
【００１１】
図１に示すように、車両の後部に設けられた荷室１には、後部座席２後方のフロア３に、収納室４が設けられている。収納室４は、中空直方体状の箱型に形成されており、収納室４の上部は開口部４ｔになっている。
また、車室内における収納室４の上方には、後部座席２の背面の上部の位置に、鉤状の係合部（フック部）５が固定されている。なお、係合部５は、いわゆるレジ袋を掛け置くための掛け置き部としても使用できるように、軽量の荷を入れたレジ袋を掛け置き可能な大きさと強度とを有する。
ここで、本実施形態のデッキボード１０は、収納室４の上部の開口部４ｔを覆うものである。デッキボード１０は、同図に示すように、略矩形板状のボード本体１２と、ボード本体１２の裏面の上端部に設けられたストラップ２０と、を有する。
【００１２】
ボード本体１２は、図２に単体の斜視図を示すように、表裏２枚の部材からなる合成樹脂製基材（ＰＰ）からブロー成形により中空状に形成されている。なお、ボード本体１２の内部に、発泡体を介在させたり、適所に補強用の金属部材を配置したりしてもよい。
これにより、ボード本体１２は、強度を低下させることなく軽量化及び製造コストの低下を実現している。ボード本体１２の上面には、不織布等からなる表皮材が全面に貼着され、デッキボード１０の意匠性及び美感の向上が図られている。
【００１３】
ボード本体１２の基端部には、複数の溝部が間隔をおいて幅方向の適所に形成され、図１に示すように、ヒンジ１１によって収納室４の奥側の上縁部に連結される。ボード本体１２はこのヒンジ１１を中心として、ボード本体１２と平行な平面よりも上方に回動可能となっている。使用者は、ボード本体１２を開放させるだけで収納室４内の荷物の出し入れを行うことができる。
ストラップ２０の配設位置の裏側上縁部には、デッキボード１０を開閉させる際に使用者に把持される取手となる把持部１４（図１参照）が、凹の段部によって幅方向に形成され、使用者によるデッキボード１０の移動の作業性を向上させている。
【００１４】
また、ボード本体１２の上面先端部分には、荷物をデッキボード１０上に載せた状態で、車両のバックドアを開けた時に、荷物が車両の後ろ側に落ちないようにするための傾斜面１５が形成されている。
ストラップ２０は、図３にボード本体１２の先端要部を拡大図示するように、ボード本体１２の裏面上側の中央右寄り部分に、ボード側凹部１３が形成され、このボード側凹部１３にブラケット３０が設けられている。
【００１５】
次に、図４〜図６を適宜参照して、ストラップ２０について詳しく説明する。
ストラップ２０は、長尺紐状（ロープ状）のロープ部材であるストラップロープ２１と、ストラップロープ２１の基部に設けられたブラケット３０と、を有する。
ブラケット３０は、熱可塑性樹脂からなる射出成形品である。ブラケット３０の材質としては、例えば、ポリプロピレン（ＰＰ）、ポリエチレン（ＰＥ）、ポリエチレンテレフタレート（ＰＥＴ）、アクリロニトリル−ブタジエン−スチレン（ＡＢＳ）、ポリカボネート（ＰＣ）、ポリ塩化ビニル（ＰＶＣ）、高密度ポリスチレン（ＨＰＳ）、エチレン酢酸ビニル（ＥＶＡ）、ポリエステル、ポリアセタール（ＰＯＭ）、ポリアミド（ＰＡ）などが適用可能である。
【００１６】
図３に示したように、デッキボード１０の裏面には、ブラケット３０を装着するために、矩形状に凹むボード側凹部１３が形成されているが、ブラケット３０は、ボード側凹部１３の内部に収容可能な大きさに形成されている。
ブラケット３０は、図４に示すように、ボード側凹部１３の底面に装着されるベース面部３１を有する。ベース面部３１には、ベース面部３１の左右に離隔した二箇所に固定穴３２が装着部として設けられ、二箇所の固定穴３２が不図示のリベットによってデッキボード１０のボード側凹部１３に固定されて装着される。
【００１７】
ここで、本実施形態のストラップ２０では、ブラケット３０に対してストラップロープ２１をデッキボード１０の右寄り且つ時計周りに巻回する使用態様である。これに対し、本実施形態では、図３に示すように、ボード側凹部１３へのブラケット３０の装着位置は、向かって右側が広くなるように、ボード側凹部１３の左寄りに偏倚した位置に装着されて左右非対称になっている。
これにより、本実施形態のストラップ２０は、ブラケット３０に対してストラップロープ２１をデッキボード１０の右寄り且つ時計周りに巻回するに際し、右利き用としての操作性および利便性が高く、また、使用者に対して収容方向の示唆を与えることができる。
【００１８】
特に、本実施形態のストラップ２０は、一本のストラップロープ２１によって二筋の延設部２３が構成されている。詳しくは、ストラップロープ２１は、一般的に使用されている、ポリプロピレン（ＰＰ）製の素材が織り込まれて形成された長尺紐状の可撓性を有する一のロープ部材からなる。本実施形態では、ストラップロープ２１は、直径が約φ５ｍｍ程度のロープ部材を材質としている。但し、ストラップロープ２１の材質や直径はこれに限らず、長尺紐状に形成された可撓性を有するロープ部材であれば、ナイロン等、他の材質を用いてもよい。
【００１９】
そして、本実施形態では、ストラップロープ２１は、その一のロープ部材が全長の中央の位置で二等分にしてヘアピン状に折り返され、ストラップロープ２１全体が環状（ループ状）とされている。これにより、延設部２３が二筋のロープによって構成されるとともに、ストラップロープ２１が折り返されたヘアピン状の端の部分（自由端側の先端）が環状部２４とされている。
【００２０】
さらに、折り返された二筋の延設部２３の両端部分それぞれが基端部２２とされ、各基端部２２がブラケット３０の固定部３３にインサート射出成形で固定されている。なお、ストラップロープ２１の基端部２２の位置において、ブラケット３０の各固定部３３に矩形状の穴が形成されているのは、インサート射出成形時に、ストラップロープ２１の各基端部２２を型で挟むために形成されたものである。
【００２１】
これにより、本実施形態では、ストラップロープ２１の２箇所の基端部２２が、基部となるブラケット３０に固定され、ストラップロープ２１の環状部２４は、ストラップロープ２１の２箇所の基端部２２をブラケット３０に固定することにより、ストラップロープ２１の先端側にループ状の環状部２４を形成している。
そして、ブラケット３０は、図２に示すように、ストラップロープ２１の自由端側先端の環状部２４が外側上方に延びるように、ボード本体１２の裏面の外側端部に対してリベットによってデッキボード１０のボード側凹部１３に固定される。
【００２２】
ここで、本実施形態のブラケット３０には、図４（ａ）に示すように、ストラップロープ２１の延設部２３を巻回してその状態を保持するための掛止部３４と、ストラップロープ２１の環状部２４を挟み込み可能な凸状をなす２つの挟持部３８，３９と、が設けられている。
そして、本実施形態のストラップロープ２１は、上述のように、長尺紐状に形成された可撓性を有するロープ部材なので、ブラケット３０の掛止部３４に対して延設部２３が巻回自在となっている。
【００２３】
本実施形態では、掛止部３４は、ブラケット３０の片側に設けられるとともに、掛止部３４に、ストラップロープ２１の延設部２３の巻回状態を保持するように、ボード本体１２の裏面との対面方向での移動を拘束する折返部３５が形成されている。
本実施形態のブラケット３０においては、図４（ｂ）に示すように、使用者が、ブラケット３０の外周に対し、時計回りの側からストラップロープ２１の延設部２３を掛止部３４に回し込み、掛止部３４を用いてストラップロープ２１を掛止部３４に引っ掛ける。
【００２４】
さらに、延設部２３を掛止部３４に巻回した後に、２つの挟持部３８，３９を用いて、先端に環状部２４を構成する二筋の延設部２３それぞれを、２つの挟持部３８，３９同士の間と、挟持部３８とこれに隣り合う固定部３３との間に挟み込むことで、ストラップ２０をブラケット３０に収納可能になっている。
なお、２つの挟持部３８，３９相互の対向面と、挟持部３８とこれに隣り合う固定部３３との対向面には、複数の凹凸の段が形成され、網紐からなるロープへの挟持時の保持力がより確実に保持されるようになっている。
【００２５】
特に、本実施形態において、ストラップロープ２１の延設部２３の長さ、および、ブラケット３０の掛止部３４の幅方向の寸法、並びに、２つの挟持部３８，３９の配置位置は、延設部２３を掛止部３４に巻回したときに、端部の環状部２４が、丁度ぴったり２つの挟持部３８，３９による挟持位置に位置する長さに設定されている。
これにより、本実施形態のストラップ２０によれば、ストラップロープ２１が垂れ下がることなくブラケット３０にストラップロープ２１を収容した時の見栄えが良く、また、簡単な構成によって、ブラケット３０の外周に沿った収容状態を確実に保持可能になっている。
【００２６】
次に、本実施形態のストラップ２０の使用方法について説明する。
上述したように、デッキボード１０のボード本体１２裏面には、長尺紐状のストラップ２０が配設され、ストラップ２０の自由端側に環状部２４が形成され、基端部２２がブラケット３０に固定されてボード本体１２裏面に繋がっている。
そのため、デッキボード１０の姿勢を開放姿勢Ｈで保持する場合には、使用者は、環状部２４をブラケット３０から巻回状態を手で解いて引き出し（図４（ａ））、図１に示すように、ストラップ２０の延設部２３を上方に引き延ばす。
【００２７】
そして、同図に示すように、収納室４の上方には、ストラップ２０の延設部２３の長さに整合させた位置に、鉤状の係合部（フック部）５が設けられているので、使用者は、環状部２４を係合部５に手で直接係合させることで、デッキボード１０の姿勢を開放姿勢Ｈに容易に保持できる。
また、環状部２４と係合部５との係合による張設の支持状態は緩く、重力による姿勢保持なので、開放姿勢Ｈで姿勢が保持されているデッキボード１０に何らかの力が加えられた場合でも、ストラップ２０や係合部５等が破損する前に、係合部５から環状部２４が容易に外れるため破損を防止できる。
【００２８】
このように、本実施形態のストラップ２０によれば、使用者は、ストラップ２０の環状部２４を、後部座席２の背面の鉤状の係合部５に手で引っ掛けて係合させれば、容易にストラップ２０を張設してデッキボード１０の開口姿勢Ｈを保持できる。これにより、デッキボード１０を開いた状態を保持して、収納室４に収められている工具や荷物等の収納物を出し入れ可能に開口状態を保持できる。
【００２９】
さらに、本実施形態のストラップ２０によれば、長尺紐状のストラップロープ２１をボード本体１２裏面に取付けるだけの簡素な構成である。そのため、デッキボード１０の姿勢を開放姿勢Ｈに保持する場合には、デッキボード１０を開いた時に、ブラケット３０からストラップロープ２１の巻回状態を外して、ストラップ２０先端の環状部２４を後部座席２の係合部５に掛けることでデッキボードの開放姿勢Ｈを保持できる。よって、部品点数が少なく、必要な機能を安価に装備できる。
【００３０】
また、本実施形態のストラップ２０によれば、デッキボード１０の姿勢を開放姿勢Ｈに保持しない場合には、使用者は、図１に符号Ｍを付した破線で示すように、ストラップ２０先端の環状部２４を係合部５から手で取り外す。
そして、使用者は、デッキボード１０のボード本体１２裏面に設けられたブラケット３０の周囲に、掛止部３４を用いてストラップロープ２１の延設部２３を巻回するとともに、２つの挟持部３８，３９を用いて環状部２４を挟み込んで保持して、図４（ｂ）に示した収容状態とする。
【００３１】
次いで、使用者は、ボード本体１２を、図１に符号Ｔを付した破線で示すように閉じることで、収納室４を閉止姿勢Ｔにすれば、ストラップ２０をブラケット３０の周囲にコンパクトに収納できるとともに、その状態で閉止姿勢Ｔにできる。そのため、デッキボード１０の閉止時にストラップ２０が垂れ下がることなく収容状態が保持される。
これにより、本実施形態のストラップ２０によれば、ストラップロープ２１における延設部２３が垂れ下がらずにブラケット３０に対してその周囲に巻回保持されるので、見栄えを損なうことがなく、また、ストラップ２０が収納室４からの荷物の出し入れ等の邪魔になることもない。よって、デッキボード用ストラップとして収容性に優れている。
【００３２】
また、本実施形態のストラップ２０によれば、ストラップロープ２１は、延設部２３がブラケット３０からボード本体１２の外側に向けて上方に延びるように固定されているので、デッキボード１０を収納室４の側に閉じる際に、デッキボード１０の裏面と収納室４の上部周縁との間にストラップロープ２１が挟まり難くなっている。
そして、本実施形態のストラップ２０によれば、ストラップロープ２１の環状部２４は、ブラケット３０の装着位置が、デッキボード１０のボード本体１２の裏面上縁部の近傍に位置している。
【００３３】
そのため、デッキボード１０が収納室４に対し閉止姿勢Ｔにある状態であっても、使用者は、環状部２４ないし延設部２３または把持部１５を把持してデッキボード１０を容易に引き起こすことができる。
さらに、本実施形態のストラップ２０によれば、ストラップロープ２１が一のロープ部材を二等分にしてヘアピン状に折り返すことにより延設部２３が二筋のロープによって構成され、折り返された部分がループ状になって環状部２４を構成しているため、使用者は、環状部２４を手で持って巻回状態を解いて環状部２４を容易に把持できる。
【００３４】
以上説明したように、本実施形態のデッキボード１０によれば、ストラップ２０が、可撓性を有する長尺紐状のロープ部材からなる１つのストラップロープ２１と、このストラップロープ２１をブラケット３０の周囲に巻回保持可能に構成されたブラケット３０と、によって構成している。
そのため、デッキボード１０の構成部品点数を削減して製造コストを低下させるとともに、ストラップ２０によって、ボード本体１２の開放姿勢Ｈでの姿勢保持を容易に行うことができる上、ボード本体１２の開閉作業性とストラップ２０の収容性に優れている。
【００３５】
なお、本発明に係るデッキボード用ストラップおよびこれを備えるデッキボードは、上記実施形態に限定されるものではなく、本発明の趣旨を逸脱しなければ種々の変形が可能である。
例えば、上記実施形態では、デッキボード１０の裏面に１つのストラップ２０を配設した例を示したが、これに限らず、ストラップ２０の配設位置や数は適宜変更が可能である。
つまり、係合するフック部５との対向距離等に応じて、ストラップロープ２１の長さを適宜変更可能である。また、この場合において、ストラップロープ２１の延設部２３が長尺であれば、ブラケット３０の周囲への巻回数についても、一重巻に限定されず、二重に巻回するように構成してもよい。
【００３６】
具体的には、図５に第一変形例を示すように、第一変形例のストラップ２０は、第二の掛止部３６が追加されることで、ブラケットの両側に掛止部３４、３６が設けられるとともに、各掛止部３４、３６に、延設部２３の巻回状態を保持するように、ボード本体１２の裏面との対面方向での移動を拘束する折返部３５，３７がそれぞれに形成されている。このような構成であれば、より長尺な延設部２３を有するストラップ２０を巻回するような場合に好適である。
【００３７】
また、上記実施形態では、環状部２４のループ形状が、ストラップロープ２１全体を二等分にしてヘアピン状に折り返すことにより二筋の延設部２３の先端部分によって形成される例を示したが、これに限らず、使用者がブラケット３０に係合しやすい環状部分を有する形状とすれば、ストラップロープ２１全体によるループ状に限るものではない。
例えば、図６に第二変形例を示すように、ストラップロープ２１の先端部のみを折り返すことにより環状に形成して環状部２４を構成してもよい。
つまり、同図に示す第二変形例では、ストラップロープ２１は、延設部２３が一筋のロープによって構成されている。
【００３８】
そして、その一筋の延設部２３の一端側が、この一端側の端部近傍を環状に折り返すとともに、その折り返した部分を、固定具２５を用いて延設部２３の一端側近傍で固定している。これにより、第二変形例では、一筋の延設部２３の先端に環状部２４が形成され、延設部２３の他端が一の基端部２２とされている。この第二変形例の構成によっても、上記実施形態同様の作用効果を奏することができる。
【符号の説明】
【００３９】
１    荷室
２    後部座席
３    フロア
４    収納室
５    係合部（フック部）
１０    デッキボード
１１    ヒンジ
１２    ボード本体
１３    ボード側凹部
１４    把持部
１５    傾斜面
２０    ストラップ
２１    ストラップロープ
２２    基端部
２３    延設部
２４    環状部
２５    固定具
３０    ブラケット
３１    ベース面部
３２    固定穴（装着部）
３３    基端部インサート用の固定部
３４    延設部巻回用の（第一の）掛止部
３５    掛止部の先端の（第一の）折返部
３６    延設部巻回用の（第二の）掛止部
３７    掛止部の先端の（第二の）折返部
３８    環状部保持用の一対の挟持部
３９    環状部保持用の一対の挟持部
Ｔ    閉止姿勢
Ｈ    開放姿勢
【図１】
2020142653.tif 000003
【図２】
2020142653.tif 000004
【図３】
2020142653.tif 000005
【図４】
2020142653.tif 000006
【図５】
2020142653.tif 000007
【図６】
2020142653.tif 000008